(57)【要約】【課題】光ピックアップアクチュエータ、光ピックアップ装置及び光記録／再生装置を提供する。【解決手段】ベースの一側に形成されたホルダーと、対物レンズが搭載されたレンズホルダーと、前記レンズホルダーをフォーカシング方向、トラック方向及びチルト方向に駆動するためのフォーカシングコイル、トラッキングコイル及びチルトコイル、及び磁石を有する磁気駆動部と、一端が前記ホルダーに結合され、他端が前記レンズホルダーに結合される支持専用の少なくとも一つの支持部材と、前記フォーカシングコイル、トラッキングコイル及びチルトコイルに電流を印加するために前記支持部材と別途に備わったワイヤと、を含むことを特徴とする光ピックアップアクチュエータである。【選択図】図５Ａ
2005050512.tif 000002
【特許請求の範囲】
【請求項１】
ベースの一側に形成されたホルダーと、
対物レンズが搭載されたレンズホルダーと、
前記レンズホルダーをフォーカシング方向、トラック方向及びチルト方向に駆動するためのフォーカシングコイル、トラッキングコイル及びチルトコイル、及び磁石を有する磁気駆動部と、
一端が前記ホルダーに結合され、他端が前記レンズホルダーに結合される支持専用の少なくとも一つの支持部材と、
前記フォーカシングコイル、トラッキングコイル及びチルトコイルに電流を印加するために前記支持部材と別途に備わったワイヤと、を含むことを特徴とする光ピックアップアクチュエータ。
【請求項２】
前記レンズホルダーは、ほぼダイヤモンド状を有することを特徴とする請求項１に記載の光ピックアップアクチュエータ。
【請求項３】
前記フォーカシングコイルがレンズホルダーの周囲に配置され、前記トラッキングコイルが前記磁石に傾斜して配置され、前記チルトコイルが前記レンズホルダーの下面にトラック方向に対称的に配置されることを特徴とする請求項１に記載の光ピックアップアクチュエータ。
【請求項４】
前記チルトコイルが三角形に巻線されたことを特徴とする請求項３に記載の光ピックアップアクチュエータ。
【請求項５】
前記チルトコイルが長方形に巻線されたことを特徴とする請求項３に記載の光ピックアップアクチュエータ。
【請求項６】
前記ワイヤは、前記フォーカシングコイル、トラッキングコイル及びチルトコイルから引出されてドライブＩＣに結合されることを特徴とする請求項１ないし５のうち何れか一項に記載の光ピックアップアクチュエータ。
【請求項７】
前記磁石は、前記対物レンズに光を出射する光学系から出射された光の光路の上にあるベースに設置されることを特徴とする請求項１ないし５のうち何れか一項に記載の光ピックアップアクチュエータ。
【請求項８】
前記対物レンズに光を出射する光学系が前記レンズホルダーに傾斜して配置される時、前記レンズホルダーが前記光学系に妨害にならないように傾斜部を有することを特徴とする請求項１ないし５のうち何れか一項に記載の光ピックアップアクチュエータ。
【請求項９】
前記フォーカシングコイルとチルトコイルとが共用され、前記チルト兼用フォーカシングコイルが前記レンズホルダーの下部にトラック方向に対称的に配置されることを特徴とする請求項１ないし５のうち何れか一項に記載の光ピックアップアクチュエータ。
【請求項１０】
前記チルト兼用フォーカシングコイルに、フォーカス用信号に第１位相を有するチルト信号を加えた第１信号とフォーカス用信号に前記第１位相と異なる位相を有するチルト信号を加えた第２信号とを入力することを特徴とする請求項９に記載の光ピックアップアクチュエータ。
【請求項１１】
前記フォーカシングコイル、トラッキングコイル及びチルトコイルは、前記対物レンズに対称的に配置され、前記磁石は前記レンズホルダーの両側に配置されたことを特徴とする請求項１ないし８のうち何れか一項に記載の光ピックアップアクチュエータ。
【請求項１２】
前記ワイヤは、ハンダ付けをされないで支持部材と別途に備わることを特徴とする請求項１ないし８のうち何れか一項に記載の光ピックアップアクチュエータ。
【請求項１３】
フォーカシングコイルがレンズホルダーの周囲に配置され、トラッキングコイルが磁石に傾斜して配置され、チルトコイルがレンズホルダーの第１面からトラッキング方向に対称的に配置されることを特徴とする請求項１ないし８のうち何れか一項に記載の光ピックアップアクチュエータ。
【請求項１４】
対物レンズの光軸がレンズホルダーの駆動軸と同軸上にあることを特徴とする請求項１ないし８のうち何れか一項に記載の光ピックアップアクチュエータ。
【請求項１５】
ディスクの半径方向に移動可能に設置されてディスクに記録された情報を再生するか、または情報を記録するように対物レンズを有する光学系と、前記対物レンズのフォーカス、トラック及びチルトサーボを制御するための光ピックアップアクチュエータとを含む光ピックアップ装置において、
前記光ピックアップアクチュエータは、
ベースの一側に形成されたホルダーと、
対物レンズが搭載されたレンズホルダーと、
前記レンズホルダーをフォーカシング方向、トラック方向及びチルト方向に駆動するためのフォーカシングコイル、トラッキングコイル及びチルトコイル、及び磁石を有する磁気駆動部と、
一端が前記ホルダーに結合され、他端が前記レンズホルダーに結合される支持専用の少なくとも一つの支持部材と、
前記フォーカシングコイル、トラッキングコイル及びチルトコイルに電流を印加するために前記支持部材と別途に備わったワイヤと、を含むことを特徴とする光ピックアップ装置。
【請求項１６】
前記レンズホルダーは、ほぼダイヤモンド状を有することを特徴とする請求項１５に記載の光ピックアップ装置。
【請求項１７】
前記フォーカシングコイル、トラッキングコイル及びチルトコイルは、前記対物レンズに対称的に配置され、前記磁石は前記レンズホルダーの両側に配置されたことを特徴とする請求項１５に記載の光ピックアップ装置。
【請求項１８】
前記フォーカシングコイルがレンズホルダーの周囲に配置され、前記トラッキングコイルが前記磁石に傾斜して配置され、前記チルトコイルが前記レンズホルダーの下面にトラック方向に対称的に配置されることを特徴とする請求項１７に記載の光ピックアップ装置。
【請求項１９】
前記ワイヤは、前記フォーカシングコイル、トラッキングコイル及びチルトコイルから引出されてドライブＩＣに結合されることを特徴とする請求項１５ないし１８のうち何れか一項に記載の光ピックアップ装置。
【請求項２０】
前記対物レンズに光を出射するための光学系が前記レンズホルダーに傾斜して配置される時、前記レンズホルダーが前記光学系に妨害にならないように傾斜部を有することを特徴とする請求項１５ないし１８のうち何れか一項に記載の光ピックアップ装置。
【請求項２１】
前記ワイヤは、ハンダ付けされないで支持部材と別途に備わることを特徴とする請求項１５ないし１８のうち何れか一項に記載の光ピックアップ装置。
【請求項２２】
前記レンズホルダーは、光ピックアップアクチュエータに光が傾斜して進められるように光学系と結合されることを特徴とする請求項１５ないし１８のうち何れか一項に記載の光ピックアップ装置。
【請求項２３】
磁気駆動部が光ピックアップアクチュエータの第１部分に傾斜して配置され、光学系が従来の光学系であり、レンズホルダーが従来の光学系の変更なしに従来の光学系とレンズホルダーとを結合するようにほぼダイヤモンド型に形成されたことを特徴とする請求項１５ないし１８のうち何れか一項に記載の光ピックアップ装置。
【請求項２４】
前記レンズホルダーの前部分がほぼ三角形になるようにレンズホルダーがほぼダイヤモンド型であることを特徴とする請求項１５に記載の光ピックアップ装置。
【請求項２５】
光ピックアップアクチュエータを採用して対物レンズが搭載されたレンズホルダーを光ディスクに移動させつつ前記光ディスクに情報の記録及び／または再生を行う装置において、
前記光ピックアップアクチュエータは、
ベースの一側に形成されたホルダーと、
対物レンズが搭載されたレンズホルダーと、
前記レンズホルダーをフォーカシング方向、トラック方向及びチルト方向に駆動するためのフォーカシングコイル、トラッキングコイル及びチルトコイル、及び磁石を有する磁気駆動部と、
一端が前記ホルダーに結合され、他端が前記レンズホルダーに結合される支持専用の少なくとも一つの支持部材と、
前記フォーカシングコイル、トラッキングコイル及びチルトコイルに電流を印加するために前記支持部材と別途に備わったワイヤと、を含むことを特徴とする光記録／再生装置。
【請求項２６】
前記レンズホルダーは、ほぼダイヤモンド状を有することを特徴とする請求項２５に記載の光記録／再生装置。
【請求項２７】
前記フォーカシングコイル、トラッキングコイル及びチルトコイルは、前記対物レンズに対称的に配置され、前記磁石は前記レンズホルダーの両側に配置されたことを特徴とする請求項２５に記載の光記録／再生装置。
【請求項２８】
前記フォーカシングコイルがレンズホルダーの周囲に配置され、前記トラッキングコイルが前記磁石に傾斜して配置され、前記チルトコイルが前記レンズホルダーの下面にトラック方向に対称的に配置されることを特徴とする請求項２５に記載の光記録／再生装置。
【請求項２９】
前記ワイヤは、前記フォーカシングコイル、トラッキングコイル及びチルトコイルから引出されてドライブＩＣに結合されることを特徴とする請求項２５ないし２８のうち何れかに記載の光記録／再生装置。
【請求項３０】
前記対物レンズに光を出射するための光学系が前記レンズホルダーに傾斜して配置される時、前記レンズホルダーが前記光学系に妨害にならないように傾斜部を有することを特徴とする請求項２５ないし２８のうち何れか一項に記載の光記録／再生装置。
【請求項３１】
前記ワイヤは、ハンダ付けされないで支持部材と別途に備わることを特徴とする請求項２５ないし２８のうち何れか一項に記載の光記録／再生装置。
【請求項３２】
前記レンズホルダーは、光ピックアップアクチュエータに光が傾斜して進められるように光学系と結合されることを特徴とする請求項２５ないし２８のうち何れか一項に記載の光記録／再生装置。
【請求項３３】
磁気駆動部が光ピックアップアクチュエータの第１部分に傾斜して配置され、光学系が従来の光学系であり、レンズホルダーが従来の光学系の変更なしに従来の光学系とレンズホルダーとを結合するようにほぼダイヤモンド型に形成されたことを特徴とする請求項２５ないし２８のうち何れか一項に記載の光記録／再生装置。
【請求項３４】
前記レンズホルダーの前部分がほぼ三角形になるようにレンズホルダーがほぼダイヤモンド型であることを特徴とする請求項２５ないし２８のうち何れか一項に記載の光記録／再生装置。
【発明の詳細な説明】
【技術分野】
【０００１】
本発明は対物レンズの光軸と同じ駆動軸を中心に駆動され、漏れ磁束による副共振の発生要因を除去して感度を向上させるように構造が改善された光ピックアップアクチュエータ、それを採用した光ピックアップ装置及び光記録／再生装置に関する。
【背景技術】
【０００２】
一般的に、光ピックアップ装置は、光記録／再生装置に採用されて記録媒体であるディスクの半径方向に移動しつつ非接触式にターンテーブルに搭載されたディスクに情報の記録及び／または再生を行う装置である。
【０００３】
この光ピックアップ装置は、光ディスクの所望のトラック位置に光スポットが照射されるように対物レンズを光ディスクのトラック方向とフォーカス方向とに駆動する光ピックアップアクチュエータを備える。しかし、ノート型パソコンのような携帯用個人コンピュータは薄くて軽く作られなければならないため、全体システムの空間的な制約を受けるので、ここに採用されるアクチュエータもスリム化が要求される。
【０００４】
そして、光ピックアップ装置には、光を対物レンズに対向させるために反射鏡が採用されるが、スリム化の要求によって光ピックアップの対物レンズと反射鏡間の距離を短縮させるようにアクチュエータの駆動軸と対物レンズの光軸とが異なる非対称型アクチュエータが提案された。その一例が特許文献１に開示されている。
【０００５】
図１及び図２を参照すれば、従来の光ピックアップアクチュエータ１０は、一側にホルダー１４が形成されており、中央に第１収容溝１６ａが形成されたレンズホルダー１２の外周面に沿ってフォーカシングコイル１８が巻かれており、前記レンズホルダー１２の一側に一対のトラッキングコイル１５が巻かれている。また、一側に対物レンズ１１が搭載された駆動部１７に第２収容溝１６ｂが形成されており、前記第２収容溝１６ｂにレンズホルダー１２が収容される。ここで、前記第１収容溝１６ａと第２収容溝１６ｂとにＵ字型ヨーク３１が挿入され、磁石３２が前記一対のトラッキングコイル１５に対向するように前記Ｕ字型ヨーク３１の一側に装着されている。
【０００６】
そして、一端が前記ホルダー１４に固定され、他端が前記駆動部１７の両側に固定された一対のサスペンション１３ａ，１３ｂによって前記駆動部１７が支持され、前記駆動部１７とレンズホルダー１２とは共に可動に結合されている。
【０００７】
一方、前記フォーカシングコイル１８とトラッキングコイル１５とに電流を印加すれば、前記磁石３２と前記フォーカシングコイル１８及びトラッキングコイル１５の電磁気的な相互作用によって前記コイルが力を受け、これにより、前記駆動部１７が連動する。前記フォーカシングコイル１８及びトラッキングコイル１５が力を受ける方向は、フレミングの左手の法則による。
【０００８】
したがって、前記フォーカシングコイル１８及びトラッキングコイル１５と磁石３２との相互作用によって、コイルに電磁気力が作用すれば、レンズホルダー１２がフォーカシング方向Ｆまたはトラッキング方向Ｔに運動する。これにより、前記レンズホルダー１２に結合された駆動部１７が共に動きつつ対物レンズ１１が移動されてディスク（図示せず）に光スポットが結像される位置が調節される。
【０００９】
図３Ａ及び図３Ｂは、前記フォーカシングコイル１８と磁石３２間の電磁気的な相互作用を説明するために簡略に示す図面である。ここで、前記フォーカシングコイル１８は、前記Ｕ字型ヨーク３１の内側にある部分１８ａと外側にある部分１８ｂとに区分されうる。しかし、前記ヨーク３１の内側にあるフォーカシングコイル１８ａは、前記磁石３２との相互作用によって電磁気力を受けるが、一方、前記ヨーク３１の外側にあるフォーカシングコイル１８ｂは、前記ヨーク３１によって塞がっているので、前記磁石３２による影響を受けない。しかし、実際には、図３Ａで点線で表示されたように、前記磁石３２による磁気力線が磁石の中心から外れるにつれて磁石のエッジでは広く広がる。また、磁気力線が前記ヨーク３１を外れて外側に漏れる。
【００１０】
このような漏れ磁束によって前記ヨーク３１の外側にあるフォーカシングコイル１８ｂが影響を受ける。図３Ａで、フォーカシングコイル１８から出る矢印は、フレミングの左手の法則によって磁気力線の分布によって前記フォーカシングコイル１８が受ける力の大きさ及び方向を表す。このように、前記外側のフォーカシングコイル１８ｂでも漏れ磁束による影響で力を受け、これは前記フォーカシングコイル１８を全体的に見る時、不均衡な力の分布をもたらす。すなわち、図３Ｂに示されたように、前記ヨーク３１の内側にあるフォーカシングコイル１８ａに及ぼす力Ｆｕと前記ヨーク３１の外側にあるフォーカシングコイル１８ｂに及ぼす力Ｆｄとが不均衡をなすので、前記レンズホルダー１２及び駆動部１７が前後に振れるピッチングモードが発生する。すなわち、図３Ｂで、矢印Ｐで表示された方向に振れる。
【００１１】
また、前記外側のフォーカシングコイル１８ｂは、フォーカシング動作のために使われない無用のコイルであって、質量増加及び巻線コイルの抵抗増加によってアクチュエータの感度が低下する。したがって、ディスクの高倍速化による高速追従能力に障害になる。
【００１２】
一方、前記一対のトラッキングコイル１５によるトラック方向Ｔへの運動時、運動中心点と質量中心点Ｇとが一致しないので、ローリングモードが発生する。図４Ａに示されたように、前記レンズホルダー１２が停止している時にはアクチュエータ１０の全体的な質量中心点Ｇと前記レンズホルダー１２の運動中心点Ｈが一致する。図面で、矢印は、トラッキングコイル１５が磁石３２によって受ける力の大きさと方向とを表す。前記トラッキングコイル１５が受ける力の大きさは、トラッキングコイル１５に流れる電流と磁束との大きさに依存するが、電流は一定しているとする時、磁束の大きさにだけ依存する。しかし、磁束は前記磁石３２の中心部で最も大きく、エッジに行くほど小さくなる。
【００１３】
図４Ａのように、トラッキングコイルが中立位置にある時には、前記トラッキングコイル１５を中心に磁束が対称的に分布されているので、結局、質量中心点Ｇとトラッキングコイルの運動中心点Ｈとが一致する。
【００１４】
しかし、図４Ｂに示されたように、前記フォーカシングコイル１８によってレンズホルダー１２が上側にフォーカシングされれば、前記磁石３２によって前記トラッキングコイル１５に及ぼす力がトラッキングコイル１５の下側に偏向される。したがって、前記レンズホルダー１２の上側でのトラッキング力より下側でのトラッキング力が大きいので、矢印Ｒ１方向に回転モーメントが発生する。
【００１５】
一方、図４Ｃに示されたように、前記フォーカシングコイル１８によってレンズホルダー１２が下側にフォーカシングされれば、前記磁石３２によって前記トラッキングコイル１５に及ぼす力がトラッキングコイル１５の上側に偏向される。したがって、前記レンズホルダー１２の上側でのトラッキング力が下側でのトラッキング力より大きいので、矢印Ｒ２方向に回転モーメントが発生する。
【００１６】
結果的に、図４Ｄに示されたように、レンズホルダー１２のフォーカシング動作によって前記トラッキングコイル１５の運動中心点Ｈと質量中心点Ｇとが一致しなくなって、矢印Ｒ１、Ｒ２方向にローリングするローリングモードが発生する。
【００１７】
前記のようなピッチングモード及びローリングモードのような回転振動モードは、フォーカシング及びトラッキング動作時、基本周波数特性の位相と変位とに悪影響を与え、これにより、光学信号の劣化が生じる。したがって、ＡＣ感度を向上させるために磁束密度を増加させるために磁石３２の大きさを大きくすれば、漏れ磁束も共に増加して副共振を招くので、磁束密度の増加には限界があった。さらに、高倍速、高密度の光記録再生装置では、ピッチングモード及びローリングモード現象がさらに深刻に現れるので、高倍速化される光記録再生装置に適した光ピックアップアクチュエータが要求される。
【００１８】
一方、フォーカシング駆動及びトラッキング駆動だけではなく、チルト駆動までする場合には、サスペンションの数が少なくても６個が必要であるが、このサスペンションを非常に狭い空間でハンダ付けする作業は非常に難しくて不良率が多く発生するだけでなく、電流が供給されれば、ハンダ付け部分に熱が発生して故障の原因となることもある。
【特許文献１】米国特許５,６８４,６４５号公報
【発明の開示】
【発明が解決しようとする課題】
【００１９】
本発明が解決しようとする目的は、対物レンズの光軸と磁気駆動部の駆動軸とが同じであり、フォーカシングコイル、トラッキングコイル及びチルトコイルを対称的に配置して副共振を減少させた光ピックアップアクチュエータ、光ピックアップ装置及び光記録／再生装置を提供することである。
【００２０】
本発明が解決しようとする他の目的は、周辺システムの構造変更なしに結合されるように小型化され、高感度を有する光ピックアップアクチュエータ、光ピックアップ装置及び光記録／再生装置を提供することである。
【課題を解決するための手段】
【００２１】
前記目的を達成するために本発明による光ピックアップ装置は、ベースの一側に形成されたホルダーと、対物レンズが搭載されたレンズホルダーと、前記レンズホルダーをフォーカシング方向、トラック方向及びチルト方向に駆動するためのフォーカシングコイル、トラッキングコイル及びチルトコイル、及び磁石を有する磁気駆動部と、
一端が前記ホルダーに結合され、他端が前記レンズホルダーに結合される支持専用の少なくとも一つの支持部材と、前記フォーカシングコイル、トラッキングコイル及びチルトコイルに電流を印加するために前記支持部材と別途に備わったワイヤと、を含むことを特徴とする。
【００２２】
前記レンズホルダーは、ほぼダイヤモンド状を有することが望ましい。
【００２３】
前記フォーカシングコイルがレンズホルダーの周囲に配置され、前記トラッキングコイルが前記磁石に傾斜して配置され、前記チルトコイルが前記レンズホルダーの下面にトラック方向に対称的に配置される。
【００２４】
前記ワイヤは、前記フォーカシングコイル、トラッキングコイル及びチルトコイルから引出されてドライブＩＣに結合されうる。
【００２５】
前記磁石は、前記対物レンズに光を出射するための光学系から出射された光が進められる経路の上側にあるベースに設置されることが望ましい。
【００２６】
前記対物レンズに光を出射するための光学系が前記レンズホルダーに傾斜して配置される時、前記レンズホルダーが前記光学系に妨害にならないように傾斜部を有することが望ましい。
【００２７】
前記目的を達成するために本発明による光ピックアップ装置は、ディスクの半径方向に移動可能に設置されてディスクに記録された情報を記録または再生するように対物レンズを有する光学系と、前記対物レンズのフォーカス、トラック及びチルトサーボを制御するための光ピックアップアクチュエータとを含む光ピックアップ装置において、前記光ピックアップアクチュエータは、ベースの一側に形成されたホルダーと、対物レンズが搭載されたレンズホルダーと、前記レンズホルダーをフォーカシング方向、トラック方向及びチルト方向に駆動するためのフォーカシングコイル、トラッキングコイル及びチルトコイル、及び磁石を有する磁気駆動部と、一端が前記ホルダーに結合され、他端が前記レンズホルダーに結合される支持専用の少なくとも一つの支持部材と、前記フォーカシングコイル、トラッキングコイル及びチルトコイルに電流を印加するために前記支持部材と別途に備わったワイヤと、を含むことを特徴とする。
【００２８】
前記目的を達成するために本発明による光記録／再生装置は、光ピックアップアクチュエータを採用して対物レンズが搭載されたレンズホルダーを光ディスクに移動させつつ前記光ディスクに情報の記録及び／または再生を行う装置において、前記光ピックアップアクチュエータは、ベースの一側に形成されたホルダーと、対物レンズが搭載されたレンズホルダーと、前記レンズホルダーをフォーカシング方向、トラック方向及びチルト方向に駆動するためのフォーカシングコイル、トラッキングコイル及びチルトコイル、及び磁石を有する磁気駆動部と、一端が前記ホルダーに結合され、他端が前記レンズホルダーに結合される支持専用の少なくとも一つの支持部材と、前記フォーカシングコイル、トラッキングコイル及びチルトコイルに電流を印加するために前記支持部材と別途に備わったワイヤと、を含むことを特徴とする。
【発明の効果】
【００２９】
本発明による光ピックアップアクチュエータは、レンズホルダーを支持するための支持部材を通電用ワイヤと別途に備えることによって、ハンダ付け作業をする必要がなく、ワイヤの数が増加してもワイヤを空間的な制約なしに設置できる。これにより、アクチュエータのスリム化が実現でき、多数本のワイヤをハンダ付けする時に発生する不良が防止できる。
【００３０】
また、光ピックアップアクチュエータを対称形に構成することによって、非対称型によって発生する副共振を防止してシステム安定性及び高精密制御が保証される。そして、磁気駆動部を光ピックアップアクチュエータの前部分に偏重配置し、レンズホルダーをほぼダイヤモンド型に形成することによって、従来の光学系の構造を変形する必要なしにそのまま使用できる。
【００３１】
本発明による光ピックアップ装置と光記録／再生装置とは、全体的な構造変更なしに本発明による光ピックアップアクチュエータを採用できるので、構造変更による製造コストの増加なしに高性能の光ピックアップアクチュエータを使用できる。
【発明を実施するための最良の形態】
【００３２】
以下、添付された図面を参照して本発明を詳細に説明する。
【００３３】
本発明の望ましい実施例による光ピックアップアクチュエータは、図５Ａを参照すれば、対物レンズ１１０が搭載されたレンズホルダー１２０と、前記レンズホルダー１２０をフォーカシング方向、トラック方向及びチルト方向に駆動するための磁気駆動部と、前記レンズホルダー１２０を支持するための支持部材１４０と、を含む。
【００３４】
本発明による光ピックアップアクチュエータは、前記対物レンズの光軸とレンズホルダー１２０の駆動軸とが同じであることが望ましい。
【００３５】
前記磁気駆動部は、前記対物レンズ１１０を中心に対称的に配置されたフォーカシングコイルＦＣ、トラックコイルＴＣ、チルトコイルＴｉＣ及び前記レンズホルダー１２０を介して、その両側に配置された第１及び第２磁石１３６，１３７を含む。
【００３６】
前記フォーカシングコイルＦＣは前記レンズホルダー１２０の周囲に巻線され、前記トラックコイルＴＣは前記第１及び第２磁石１３６，１３７とレンズホルダー１２０間に配置される。
【００３７】
トラックコイルＴＣは、四角形に巻線されたコイルであって、第１磁石１３１とレンズホルダー１２０間及び第２磁石１３７とレンズホルダー１２０間にそれぞれ一対ずつ備わる。前記トラックコイルＴＣは、四角形のコイルのうち何れか一辺のコイルだけが有効コイルＴＣ−Ａとして作用する。有効コイルとは、磁石との相互作用によって磁気力の発揮に寄与するコイルを表す。有効コイルに対向するコイル部分ＴＣ−Ｂは無効コイルであって、磁気力の生成に寄与しない。無効コイル部分ＴＣ−Ｂは、前記磁石１３６，１３７と対面させず、磁石との相互作用が起こらないようにする。
【００３８】
前記トラックコイルＴＣは、磁石と無効コイル部分ＴＣ−Ｂ間の距離が磁石と有効コイル部分ＴＣ−Ａ間の距離より相対的に長くなるように配置されることが望ましい。このように配置させるために、各トラックコイルＴＣは対面する磁石に対してそれぞれ斜線で配置されることが望ましい。これにより、無効コイル部分ＴＣ−Ｂによる影響を最小化できる。
【００３９】
前記チルトコイルＴｉＣは、前記レンズホルダー１２０の両側にトラック方向に対称的に配置される。図５Ｂでは、チルトコイルＴｉＣが三角形に巻線されている例を示したが、この他にも、図５Ｃに示されたように、長方形に巻線されて配置されることもある。ここで、前記磁石１３６，１３７と対面するコイル部分が有効コイル部分となる。
【００４０】
前記フォーカシングコイルＦＣ、トラックコイルＴＣ及びチルトコイルＴｉＣと第１及び第２磁石１３６，１３７との相互作用によって前記レンズホルダー１２０がフォーカシング方向Ｆ、トラック方向Ｔ及びチルト方向ｔに駆動される。前記フォーカシングコイルＦＣ、チルトコイルＴｉＣ及びトラックコイルＴＣにはそれぞれ独立に電流が入力される。
【００４１】
一方、前記レンズホルダー１２０を移動可能に支持するための支持部材１４０の一端が前記レンズホルダー１２０に付着され、他端がベース１００の一側に形成されたホルダー１０３に付着される。前記支持部材１４０は、前記レンズホルダー１２０を支持するための用途としてだけ使われ、通電用として使われていない。したがって、前記支持部材１４０は、ハンダ付けする必要がなく、接着剤によって簡便に付着できる。
【００４２】
前記フォーカシングコイルＦＣ、トラックコイルＴＣ及びチルトコイルＴｉＣのための通電用ワイヤｗは、コイルらから直接引出されてドライブＩＣに配線に連結される。前記ワイヤｗは、通電のためにだけ使われ、レンズホルダー１２０を支持するための用途として使われる必要がないので、ワイヤｗの設置作業が容易になる。すなわち、ワイヤｗをレンズホルダー１２０にハンダ付けする必要がないので、設置空間に制約を受けず、過電流による熱が発生する恐れがない。また、前記支持部材１４０だけを前記レンズホルダー１２０に固定させれば良いので、アクチュエータがスリム化され、なお、ウルトラスリム化されてもレンズホルダー１２０に支持部材を設置するのに空間的な問題がない。
【００４３】
一方、前記ワイヤｗのうち二つを支持部材として使用することもある。二つのワイヤは、通電用及び支持用の兼用で使用し、残りのワイヤは通電用にだけ使用する。ワイヤを支持部材として使用する場合には、レンズホルダーにハンダ付けをしなければならず、ＰＣＢを設置しなければならない。
【００４４】
次いで、前記第１磁石１３６が対物レンズ１１０に入射される光の進行を妨害しないように前記ベース１００に配置されることが望ましい。また、前記第２磁石１３７は、ヨーク１３８に配置されることが望ましい。特に、図６は、本発明によるアクチュエータと周辺光学系との結合関係を表すための図面であって、光源（図示せず）から照射された光が反射鏡１２５から反射されて対物レンズ１１０に入射される。ここで、前記第１磁石１３６は、反射鏡１２５に入射される光の進行経路上に配置されず、光路より上側にあるベースに配置されて光の進行を妨害しない。すなわち、前記第１磁石１３６は、光路を遮断しないように配置される。
【００４５】
本発明は、従来のアクチュエータの全体的な構造とアクチュエータ周辺の光学系構造とを可能なかぎり変更せずに、対称形のアクチュエータを考案しようとするものである。非対称型アクチュエータは、光学系の光軸とアクチュエータの駆動軸とが相異なるアクチュエータを表し、対称形アクチュエータは、光学系の光軸とアクチュエータの駆動軸とが同じアクチュエータを表す。
【００４６】
本発明による光ピックアップアクチュエータは、アクチュエータの前部分にレンズホルダー１２０が備わった点で、従来の非対称型アクチュエータ構造と類似しており、磁気駆動部をレンズホルダー１２０の周囲に対称的に配置した点で、対称形アクチュエータ構造を有する。
【００４７】
さらに、前記レンズホルダー１２０は、周辺光学系との結合構造を考慮して傾斜部１２０ａを有することが望ましい。例えば、レンズホルダー１２０の４側面に傾斜部１２０ａを備える。このように、傾斜部１２０ａを形成することによって、前記レンズホルダー１２０は、ほぼダイヤモンド型に形成されうる。そして、前記トラックコイルＴＣを前記傾斜部１２０ａに斜線方向に配置する時、図７に示されたように、光がアクチュエータに傾斜して進められる光学系１５０構造に有利に結合させうる。光記録／再生装置に採用される光学系は、光がアクチュエータに垂直に入射される構造と傾斜して入射される構造とを有しうる。図７は、光学系がアクチュエータに傾斜して配置された構造を示す図面であって、光のプロファイルをＳと表した。
【００４８】
しかし、光がアクチュエータに傾斜して入射される構造を有する光学系は、図７に示されたように、レンズホルダー１２０の前部分がほぼ三角形を有するアクチュエータに適するように結合されている。
【００４９】
したがって、レンズホルダー１２０の前部分がほぼ三角形を有するように前記レンズホルダー１２０をほぼダイヤモンド型に形成することによって対称形に作り、従来の光学系構造を変更せずに本発明による光ピックアップアクチュエータを光学系と結合させうる。
【００５０】
また、磁気駆動部を光ピックアップアクチュエータの前部分に偏重配置することによって、磁気駆動部と前記ホルダー１０３間に余裕空間１１５を確保でき、この余裕空間１１５に、例えば、ドライブＩＣ １４３を設置するか、またはその他の部品を設置できる。
【００５１】
次いで、本発明による光ピックアップアクチュエータの他の変形例が図８に示されている。図８は、図５Ａ及び図５Ｂに示された図面符号と同じ図面符号を使用する部材は、同じ機能及び作用をするので、ここではその詳細な説明を省略する。
【００５２】
図５Ａ、図５Ｂ及び図５Ｃを参照して説明した光ピックアップアクチュエータでは、フォーカシングコイルＦＣとチルトコイルＴｉＣとに電流が独立に入力される。このように、各コイルに独立的に電流が入力される場合には、フォーカシング駆動のための電流とチルト駆動のための電流とがそれぞれフォーカシングコイルＦＣとチルトコイルＴｉＣとに入力される。一方、フォーカシングコイルＦＣとチルトコイルＴｉＣとが共用に使用されうる。このように、チルト兼用フォーカシングコイルが使われる場合には、図８に示されたように、レンズホルダー１２０の４側面にそれぞれトラックコイルＴＣが傾斜して配置され、チルト兼用フォーカシングコイルＦＴｉＣがレンズホルダー１２０の下部にレンズホルダー１２０の対称軸を中心に左右に一つずつ配置される。前記チルト兼用フォーカシングコイルＦＴｉＣは、三角形に巻線されるか、または長方形に巻線されうる。ここで、磁石１３６，１３７と対面するコイル部分が有効コイル部分となる。
【００５３】
フォーカシング駆動とチルト駆動とが共通のコイルによって行われる場合、フォーカシング駆動のための電流にチルト駆動のための電流が加えられた電流が前記チルト兼用フォーカシングコイルＦＴｉＣに入力される。前記チルト兼用フォーカシングコイルに、フォーカス用信号に第１位相を有するチルト信号を加えた第１信号とフォーカス用信号に前記第１位相と異なる位相を有するチルト信号を加えた第２信号とを入力する。第１及び第２信号の位相差は、１８０°でありうる。
【００５４】
次いで、本発明による光ピックアップアクチュエータを採用した光記録／再生装置は、図９を参照すれば、ディスクＤを回転させるためのスピンドルモータ１８０がターンテーブル２０３の下側に設置され、前記ターンテーブル２０３にディスクＤが装着され、前記ターンテーブル２０３との相互作用による電磁気力によってディスクＤをチャッキングするためのクランピング２０５が前記ターンテーブル２０３と対向するように設置される。前記スピンドルモータ１８０によってディスクＤが回転される時、光ピックアップ装置２００が前記ディスクＤの半径方向に移動可能に設置され、ディスクに記録された情報を記録または再生する。
【００５５】
前記スピンドルモータ１８０と光ピックアップ装置２００とは駆動部２１０によって駆動され、制御部２００によって前記光ピックアップ装置２００のフォーカス、トラック、チルトサーボを制御することによって、ディスクに対するデータの記録及び／または再生が行われる。前記光ピックアップ装置２００は、対物レンズ１１０を有する光学系とその対物レンズ１１０をフォーカス、トラック、チルト方向に駆動するための光ピックアップアクチュエータとを含む。
【００５６】
前記光ピックアップ装置２００を通じて検出されて光転換された信号は、前記駆動部２１０を通じて前記制御部２２０に入力される。前記駆動部２１０は、前記スピンドルモータ１１２の回転速度を制御し、入力された信号を増幅させ、光ピックアップ装置２００を駆動させる。前記制御部２２０は、駆動部２１０から入力された信号に基づいて調節されたフォーカスサーボ命令、トラックサーボ命令及びチルトサーボ命令を再び駆動部２１０に送ってフォーカスサーボ、チルトサーボ及びトラッキングサーボを行う。
【産業上の利用可能性】
【００５７】
本発明による光ピックアップ装置及び光記録／再生装置は、従来のシステムの構造を大きく変更させずに安定性及び余裕空間が確保できる。
【００５８】
特に、ノート型パソコン用ドライブでは、アクチュエータがスリム化されることが要求され、フォーカシング制御、トラッキング制御だけでなく、チルト制御までするためにワイヤの数が少なくても６個が要求されるが、本発明のように支持専用の支持部材を別途に備えてスリム化とワイヤの容易な設置とを同時に満足させうる。
【図面の簡単な説明】
【００５９】
【図１】従来の光ピックアップアクチュエータの斜視図である。
【図２】従来の光ピックアップアクチュエータの概略的な断面図である。
【図３Ａ】従来の光ピックアップアクチュエータでの磁気力線の分布を図式的に示す図面である。
【図３Ｂ】従来の光ピックアップアクチュエータでの磁気力線の分布による回転モーメントを図式的に示す図面である。
【図４Ａ】従来の光ピックアップアクチュエータでトラッキングコイルによるローリングモードを説明するための図面である。
【図４Ｂ】従来の光ピックアップアクチュエータでトラッキングコイルによるローリングモードを説明するための図面である。
【図４Ｃ】従来の光ピックアップアクチュエータでトラッキングコイルによるローリングモードを説明するための図面である。
【図４Ｄ】従来の光ピックアップアクチュエータでトラッキングコイルによるローリングモードを説明するための図面である。
【図５Ａ】本発明の望ましい実施例による光ピックアップアクチュエータの分離斜視図である。
【図５Ｂ】本発明の望ましい実施例による光ピックアップアクチュエータの底面図である。
【図５Ｃ】本発明の望ましい実施例による光ピックアップアクチュエータの底面図である。
【図６】本発明の望ましい実施例による光ピックアップアクチュエータの断面図である。
【図７】本発明による光ピックアップアクチュエータと光学系との配置関係を説明するための図面である。
【図８】本発明による光ピックアップアクチュエータの他の変形例である。
【図９】本発明による光ピックアップアクチュエータが採用された光記録／再生装置を概略的に示す図面である。
【符号の説明】
【００６０】
１００    ベース
１０３    ホルダー
１１０    対物レンズ
１２０    レンズホルダー
１２０ａ    傾斜部
１３６，１３７    磁石
１３８    ヨーク
ＴＣ    トラックコイル
Ｗ    ワイヤ
ＦＣ    フォーカシングコイル
Ｆ    フォーカシング方向
Ｔ    トラック方向
ｔ    チルト方向
【図１】
2005050512.tif 000003
【図２】
2005050512.tif 000004
【図３Ａ】
2005050512.tif 000005
【図３Ｂ】
2005050512.tif 000006
【図４Ａ】
2005050512.tif 000007
【図４Ｂ】
2005050512.tif 000008
【図４Ｃ】
2005050512.tif 000009
【図４Ｄ】
2005050512.tif 000010
【図５Ａ】
2005050512.tif 000011
【図５Ｂ】
2005050512.tif 000012
【図５Ｃ】
2005050512.tif 000013
【図６】
2005050512.tif 000014
【図７】
2005050512.tif 000015
【図８】
2005050512.tif 000016
【図９】
2005050512.tif 000017